(57)【要約】      （修正有）【課題】記録ヘッドから液体を吐出することに伴って発生するミストがヘッドユニットに付着することを抑制するヘッドユニット及び記録装置を提供する。【解決手段】ノズルから液体を吐出可能な記録ヘッド７と、ノズルが形成されるノズル形成面２２が突出した状態で記録ヘッド７を取り付けるプレート部２０と、ノズル形成面２２を保護する保護部２１と、を備え、保護部２１は、ノズル形成面２２の突出方向Ｄとは交差する交差方向から見て、プレート部２０と空間Ｓを有した状態でプレート部２０に取り付けられ、ノズル形成面２２は、交差方向から見て、保護部２１の突出方向Ｄにおける厚みＬ１の範囲内に位置するようにヘッドユニット１９を構成する。【選択図】図５
2016137588.tif 000002
【特許請求の範囲】
【請求項１】
ノズルから液体を吐出可能な記録ヘッドと、
前記ノズルが形成されるノズル形成面が突出した状態で前記記録ヘッドを取り付けるプレート部と、
前記ノズル形成面を保護する保護部と、を備え、
前記保護部は、前記ノズル形成面の突出方向とは交差する交差方向から見て、前記プレート部と空間を有した状態で前記プレート部に取り付けられ、
前記ノズル形成面は、前記交差方向から見て、前記保護部の前記突出方向における厚みの範囲内に位置することを特徴とするヘッドユニット。
【請求項２】
請求項１に記載のヘッドユニットにおいて、
前記ノズル形成面は、前記保護部の前記プレート部とは反対側の保護面に対して凹んだ状態で位置することを特徴とするヘッドユニット。
【請求項３】
請求項１又は２に記載のヘッドユニットにおいて、
前記記録ヘッドを複数備え、
前記プレート部は、少なくとも一部に間隔をあけて複数の前記記録ヘッドを取り付けることを特徴とするヘッドユニット。
【請求項４】
請求項１から３のいずれか１項に記載のヘッドユニットを備えることを特徴とする記録装置。
【請求項５】
請求項４に記載の記録装置において、
前記ヘッドユニットと被記録媒体とを相対的に移動させる移動部を備え、
前記保護部は、少なくとも前記ヘッドユニットと被記録媒体との相対移動方向における前記記録ヘッドよりも上流側に設けられることを特徴とする記録装置。
【請求項６】
請求項５に記載の記録装置において、
前記被記録媒体を間欠搬送させる搬送部を備え、
前記移動部は、前記間欠搬送の停止時に前記ヘッドユニットを前記被記録媒体の搬送方向と交差する方向に移動させることを特徴とする記録装置。
【請求項７】
請求項５に記載の記録装置において、
前記移動部は、前記ヘッドユニットに対して前記被記録媒体を搬送する搬送部であり、
前記記録ヘッドは、前記被記録媒体の搬送方向と交差する方向に前記ノズルが並べられるラインヘッドであることを特徴とする記録装置。
【発明の詳細な説明】
【技術分野】
【０００１】
本発明は、ヘッドユニット及び記録装置に関する。
【背景技術】
【０００２】
従来から、被記録媒体に対してインクなどの液体を吐出して記録する記録ヘッドを備える、記録装置が使用されている。このような記録装置においては、記録ヘッドから液体を吐出することに伴って発生するミストがヘッドユニットに付着する場合がある。そこで、このようなミストの付着を抑制することを目的とした記録装置が開示されている。  
例えば、特許文献１には、インク通過口を有したインクミスト捕集部材をキャリッジに設け、ヘッドユニットしてのキャリッジを移動することに伴う気流により、ミストの付着を抑制することを目的とした記録装置が開示されている。
【先行技術文献】
【特許文献】
【０００３】
【特許文献１】特開２００８−９３８４９号公報
【発明の概要】
【発明が解決しようとする課題】
【０００４】
しかしながら、特許文献１の記録装置は、発生するミストの全てを、インク通過口を通過する前に、インクミスト捕集部材で捕集することを前提としている。しかしながら、記録ヘッドから吐出する液滴のサイズなどによっては、インク通過口を通過する前に全てのミストをインクミスト捕集部材で捕集するということが困難な場合がある。そして、このような場合、インク通過口を通過したミストがヘッドユニットに付着する場合がある。
【０００５】
そこで、本発明の目的は、記録ヘッドから液体を吐出することに伴って発生するミストがヘッドユニットに付着することを抑制することである。
【課題を解決するための手段】
【０００６】
上記課題を解決するための本発明の第１の態様のヘッドユニットは、ノズルから液体を吐出可能な記録ヘッドと、前記ノズルが形成されるノズル形成面が突出した状態で前記記録ヘッドを取り付けるプレート部と、前記ノズル形成面を保護する保護部と、を備え、前記保護部は、前記ノズル形成面の突出方向とは交差する交差方向から見て、前記プレート部と空間を有した状態で前記プレート部に取り付けられ、前記ノズル形成面は、前記交差方向から見て、前記保護部の前記突出方向における厚みの範囲内に位置することを特徴とする。
【０００７】
本発明の第２の態様のヘッドユニットは、前記第１の態様において、前記ノズル形成面は、前記保護部の前記プレート部とは反対側の保護面に対して凹んだ状態で位置することを特徴とする。
【０００８】
本発明の第３の態様のヘッドユニットは、前記第１又は第２の態様において、前記プレート部は、少なくとも一部に間隔をあけて複数の前記記録ヘッドを取り付けることを特徴とする。
【０００９】
本発明の第４の態様の記録装置は、前記第１から第３のいずれか１つの態様のヘッドユニットを備えることを特徴とする。
【００１０】
本発明の第５の態様の記録装置は、前記第４の態様において、前記ヘッドユニットと被記録媒体とを相対的に移動させる移動部を備え、前記保護部は、少なくとも前記ヘッドユニットと被記録媒体との相対移動方向における前記記録ヘッドよりも上流側に設けられることを特徴とする。
【００１１】
本発明の第６の態様の記録装置は、前記第５の態様において、前記被記録媒体を間欠搬送させる搬送部を備え、前記移動部は、前記間欠搬送の停止時に前記ヘッドユニットを前記被記録媒体の搬送方向と交差する方向に移動させることを特徴とする。
【００１２】
本発明の第７の態様の記録装置は、前記第５の態様において、前記移動部は、前記ヘッドユニットに対して前記被記録媒体を搬送する搬送部であり、前記記録ヘッドは、前記被記録媒体の搬送方向と交差する方向に前記ノズルが並べられるラインヘッドであることを特徴とする。
【発明の効果】
【００１３】
本発明によれば、記録ヘッドから液体を吐出することに伴って発生するミストがヘッドユニットに付着することを抑制することができる。
【図面の簡単な説明】
【００１４】
【図１】本発明の実施例１の記録装置を表す概略側面図。
【図２】本発明の実施例１の記録装置を表すブロック図。
【図３】本発明の実施例１の記録装置の要部を表す概略斜視図。
【図４】本発明の実施例１の記録装置の要部を表す概略底面図。
【図５】本発明の実施例１の記録装置の要部を表す概略正面図。
【図６】本発明の実施例２の記録装置の要部を表す概略底面図。
【発明を実施するための形態】
【００１５】
［実施例１］（図１〜図５）  
以下に、本発明の実施例に係る記録装置について、添付図面を参照して詳細に説明する。  
最初に、本発明の実施例１に係る記録装置１の概要について説明する。  
図１は、本実施例の記録装置１の概略側面図である。
【００１６】
本実施例の記録装置１は、記録を行うための被記録媒体ＰのロールＲ１を繰り出すことが可能な繰出部２を備えている。また、粘着剤が付着された支持面Ｆで被記録媒体Ｐを支持する粘着性ベルト１０により被記録媒体Ｐを搬送方向Ａに搬送する搬送部としての搬送機構３を備えている。また、被記録媒体Ｐの搬送方向Ａと交差する往復移動方向Ｂに記録ヘッド７を往復走査させて記録する記録機構４を備えている。また、粘着性ベルト１０の洗浄機構１５を備えている。さらに、被記録媒体Ｐを巻き取る巻取軸１７と巻き取られている被記録媒体Ｐを切断するカッター１６とを有する巻取機構１８を備えている。
【００１７】
繰出部２は、記録を行うための被記録媒体ＰのロールＲ１のセット位置を兼ねる回転軸５を備え、回転軸５にセットされたロールＲ１から従動ローラー６を介して被記録媒体Ｐを搬送機構３に繰り出すことが可能な構成となっている。なお、被記録媒体Ｐを搬送機構３に繰り出す際、回転軸５は回転方向Ｃに回転する。
【００１８】
搬送機構３は、繰出部２から繰り出された被記録媒体Ｐを載置して搬送する粘着性ベルト１０と、粘着性ベルト１０を移動させる駆動ローラーとしての搬送ローラー８と、従動ローラー９とを備えている。被記録媒体Ｐは加圧ローラー１２により粘着性ベルト１０の支持面Ｆに加圧されて貼り付けられて載置される。なお、被記録媒体Ｐを搬送する際、搬送ローラー８は回転方向Ｃに回転し、粘着性ベルト１０は方向Ｅに移動する。  
ただし、搬送ベルトは粘着性ベルトに限定されない。例えば、静電吸着式の搬送ベルトを用いてもよい。
【００１９】
記録機構４は、ノズルＮ（図４参照）からインク（液体）を吐出可能な記録ヘッド７を備え、該記録ヘッド７を搭載するヘッドユニットとしてのキャリッジ１９を被記録媒体Ｐに対して往復移動方向Ｂに往復移動させる移動部としてのキャリッジモーター３０（図２参照）を有している。なお、図１において往復移動方向Ｂは紙面に対して垂直方向である。  
記録の際、記録ヘッド７を往復走査させて記録するが、記録走査中（記録ヘッド７の移動中）は、搬送機構３は被記録媒体Ｐの搬送を停止させる。別の表現をすると、記録の際、記録ヘッド７の往復走査と被記録媒体Ｐの搬送は交互に行われる。すなわち、記録の際、記録ヘッド７の往復走査に対応して、搬送機構３は被記録媒体Ｐを間欠搬送（粘着性ベルト１０を間欠移動）させている。  
なお、キャリッジ１９の詳細な構成については後述する。
【００２０】
粘着性ベルト１０の洗浄機構１５は、複数の洗浄ローラーが回転軸方向に連結されて構成された洗浄ブラシ１３と、洗浄ブラシ１３を洗浄するための洗浄剤が入ったトレイ１４と、を有する。
【００２１】
巻取機構１８は、記録がなされ、従動ローラー１１を介して搬送機構３から搬送された被記録媒体Ｐを巻き取る機構であり、巻取軸１７に巻き取り用の紙管等をセットしてこれに該被記録媒体Ｐを巻き付けていくことにより、被記録媒体ＰのロールＲ２として巻き取ることができる。
【００２２】
なお、本実施例の記録装置１は、ロール状の被記録媒体Ｐを粘着性ベルト１０に支持させて搬送する記録装置であるが、このような構成の記録装置に限定されない。例えば、ロール状の被記録媒体Ｐのほか単票状の被記録媒体Ｐを、搬送部としてのローラー対で挟持して搬送可能な構成としてもよい。
【００２３】
次に、本実施例の記録装置１における電気的な構成について説明する。  
図２は、本実施例の記録装置１のブロック図である。  
制御部２３には、記録装置１の全体の制御を司るＣＰＵ２４が設けられている。ＣＰＵ２４は、システムバス２５を介して、ＣＰＵ２４が実行する各種制御プログラム等を格納したＲＯＭ２６と、データを一時的に格納可能なＲＡＭ２７と接続されている。
【００２４】
また、ＣＰＵ２４は、システムバス２５を介して、記録ヘッド７を駆動するためのヘッド駆動部２８と接続されている。  
また、ＣＰＵ２４は、システムバス２５を介して、キャリッジモーター３０、搬送モーター３１、繰出モーター３２及び巻取モーター３３を駆動させるためのモーター駆動部２９と接続されている。  
ここで、キャリッジモーター３０は、記録ヘッド７を搭載したキャリッジ１９を移動させるためのモーターである。また、搬送モーター３１は、搬送ローラー８を駆動するためのモーターである。また、繰出モーター３２は、回転軸５の回転機構であり、被記録媒体Ｐを搬送機構３に送り出すために回転軸５を駆動するモーターである。そして、巻取モーター３３は、巻取軸１７を回転させるための駆動モーターである。  
また、ＣＰＵ２４は、システムバス２５を介して、被記録媒体Ｐを切断するようカッター１６を駆動させるカッター駆動部３６と接続されている。  
さらに、ＣＰＵ２４は、システムバス２５を介して、入出力部３７と接続されており、入出力部３７は記録データ等を外部装置から入力するＰＣ３８と接続されている。
【００２５】
次に、本実施例の記録装置１の要部であるキャリッジ１９の構成について説明する。  
図３は本実施例のキャリッジ１９を表す概略斜視図である。また、図４は本実施例のキャリッジ１９を表す概略底面図である。そして、図５は本実施例のキャリッジ１９を表す概略正面図である。
【００２６】
図３から図５で表されるように、本実施例のキャリッジ１９は、記録ヘッド７と、プレート部２０と、保護部２１と、を備えている。  
そして、図５で表されるように、プレート部２０は、記録ヘッド７におけるノズルＮ（図４参照）が形成されるノズル形成面２２が孔部３４を介して下側（粘着性ベルト１０側）に突出した状態で、記録ヘッド７を取り付け可能に構成されている。  
また、保護部２１は、ノズル形成面２２を保護するためのものであり、図３で表されるように、ノズル形成面２２の突出方向（粘着性ベルト１０に向かう方向）Ｄとは交差する交差方向から見て、プレート部２０と空間Ｓを有した状態で取付部４０によりプレート部２０に取り付けられている。  
また、図５で表されるように、ノズル形成面２２は、前記交差方向から見て、保護部２１の孔部３５において、保護部２１の突出方向Ｄにおける厚みＬ１の範囲内に位置している。  
このような構成により、記録ヘッド７のノズル形成面２２からインクを吐出することに伴って発生し浮遊するミストを、例えばキャリッジ１９の往復移動方向Ｂへの往復移動に伴って、空間Ｓを介して逃がすことができる。このため、本実施例のキャリッジ１９は、ミストがキャリッジ１９に付着することを抑制することができる構成になっている。すなわち、本実施例の記録装置１は、ミストがキャリッジ１９に付着することを抑制して記録することができる構成になっている。
【００２７】
ここで、図５で表されるように、ノズル形成面２２は、保護部２１の突出方向Ｄの先頭側（プレート部２０とは反対側）の保護面３９と面一にはなっておらず、保護部２１のプレート部２０とは反対側の保護面３９に対して凹んだ状態で位置している。すなわち、ノズル形成面２２は保護面３９に対して凹んでいる。  
このような構成になっているため、ノズル形成面２２から被記録媒体Ｐまでの間に、突出方向Ｄと交差する交差方向に流れる気流が発生しても、ノズル形成面２２は保護面３９よりも凹んでいるため、ノズル形成面２２近傍においては該気流の影響を受けなくて済む。したがって、ノズル形成面２２からインクが吐出される瞬間において、該インクの吐出方向（突出方向Ｄに該当）と交差する方向の力を受けることを抑制できる。すなわち、突出方向Ｄと交差する交差方向に流れる気流が発生しても、吐出方向に勢いがついてから該気流の影響を受けることとなるので、該気流の影響を小さくすることができる。このため、本実施例のキャリッジ１９は、インクの吐出方向にずれが発生することを抑制でき、記録品質が低下することを抑制することができる構成になっている。
【００２８】
また、図３から図５で表されるように、本実施例のプレート部２０には、間隔をあけて複数（１２個）の記録ヘッド７が取り付けられている。  
このため、浮遊するミストを、該間隔があいている部分を介して逃がすことができ、ミストがキャリッジ１９に付着することを効果的に抑制することができる構成になっている。  
なお、本実施例のプレート部２０には、各々が接触することなく間隔をあけて複数の記録ヘッド７が取り付けられているが、少なくとも一部に間隔をあけて複数の記録ヘッド７を取り付ける構成であれば、浮遊するミストを、該間隔があいている部分を介して逃がすことができる。  
このため、隣り合う記録ヘッド７が、一部接触している部分があっても、間隔があいている部分が有れば上記効果を有する。
【００２９】
ここで、本実施例の記録装置１は、上記のように、被記録媒体Ｐを搬送方向Ａに間欠搬送させる搬送機構３を備えており、キャリッジ１９の移動部であるキャリッジモーター３０は、間欠搬送の停止時にキャリッジ１９を被記録媒体Ｐの搬送方向Ａと交差する往復移動方向Ｂに移動させる構成である。すなわち、本実施例の記録装置１は、所謂シリアルタイプの記録装置である。このため、シリアルタイプの記録装置において、ミストがキャリッジ１９に付着することを抑制して記録することができる構成である。
【００３０】
ただし、このような構成に限定されない。例えば、被記録媒体Ｐの搬送方向Ａと交差する方向にノズルＮが並べられるラインヘッドを備え、該ラインヘッドとプレート部２０と保護部２１との位置関係が本実施例のキャリッジ１９と同様の構成（空間Ｓを設ける構成）のヘッドユニットを用い、移動部としての搬送機構がヘッドユニットに対して被記録媒体Ｐを搬送する（相対移動させる）構成の記録装置としてもよい。  
このような構成とすることで、空間Ｓを介してミストを逃がすことができ、ラインヘッドに対して被記録媒体Ｐを搬送する構成の記録装置において、ミストがヘッドユニットに付着することを抑制して記録することができる。  
ここで、「ラインヘッド」とは、被記録媒体Ｐの搬送方向Ａと交差する方向に形成されたノズルＮの領域が、被記録媒体Ｐの搬送方向Ａと交差する方向全体をカバー可能なように設けられ、記録ヘッド又は被記録媒体Ｐを相対的に移動させて画像を形成する記録装置に用いられる記録ヘッドである。なお、ラインヘッドの搬送方向Ａと交差する方向のノズルＮの領域は、記録装置が対応している全ての被記録媒体Ｐの搬送方向Ａと交差する方向全体をカバー可能でなくてもよい。
【００３１】
なお、本実施例の記録装置１には備えられていないが、より効果的に空間Ｓを介してミストを逃がすことができるようファンなどの気流発生部を設け、空間Ｓに気流を生じさせてもよい。
【００３２】
［実施例２］（図６）  
次に、本発明の実施例２に係る記録装置について説明する。  
図６は本発明の実施例２に係る記録装置１の要部であるキャリッジ１９の概略底面図であり、実施例１のキャリッジ１９を表す図４に対応する図である。なお、上記実施例１と共通する構成部材は同じ符号で示しており、詳細な説明は省略する。  
本実施例の記録装置１は、キャリッジ１９の構成のみが実施例１の記録装置１と相違する。
【００３３】
実施例１のキャリッジ１９における保護部２１は、底面視でプレート部２０と同等の大きさのものであった。  
一方、本実施例のキャリッジ１９は、保護部２１ａ及び２１ｂがキャリッジ１９の往復移動方向Ｂにおけるプレート部２０の端部に、実施例１のキャリッジ１９と同様に、空間Ｓを設けた状態で取り付けられる構成である。  
このように、保護部が、少なくともキャリッジ１９と被記録媒体Ｐとの相対移動方向（往復移動方向Ｂ）における記録ヘッド７よりも上流側に設けられていれば、整流板として、相対移動方向の上流側で、浮遊するミストを、空間Ｓを介して逃がす気流を生成することができる。したがって、ミストがキャリッジ１９に付着することを効果的に抑制して記録することができる。  
なお、本実施例の記録装置１は、往復移動方向Ｂのうちの往方向及び復方向の両方の移動において記録ヘッド７からインクを吐出して記録可能な構成であるため、キャリッジ１９の往復移動方向Ｂにおけるプレート部２０の量端部に保護部が設けられている。しかしながら、往復移動方向Ｂのうちの一方向のみの移動において記録ヘッド７からインクを吐出して記録可能な構成である場合、該一方向の下流側には保護部が設けられていなくても、該一方向の上流側に保護部が設けられていれば整流板としての役割を果たすことができる。
【００３４】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００３５】
本発明の第１の態様のヘッドユニット１９は、ノズルＮから液体を吐出可能な記録ヘッド７と、ノズルＮが形成されるノズル形成面２２が突出した状態で記録ヘッド７を取り付けるプレート部２０と、ノズル形成面２２を保護する保護部２１と、を備え、保護部２１は、ノズル形成面２２の突出方向Ｄとは交差する交差方向から見て、プレート部２０と空間Ｓを有した状態でプレート部２０に取り付けられ、ノズル形成面２２は、前記交差方向から見て、保護部２１の突出方向Ｄにおける厚みＬ１の範囲内に位置することを特徴とする。
【００３６】
本態様によれば、保護部２１は前記交差方向から見てプレート部２０と空間Ｓを有した状態でプレート部２０に取り付けられ、ノズル形成面２２は前記交差方向から見て保護部２１の突出方向Ｄにおける厚みＬ１の範囲内に位置する。このような構成により、記録ヘッド７のノズル形成面２２から液体を吐出することに伴って発生し浮遊するミストを、空間Ｓを介して逃がすことができる。このため、ミストがヘッドユニット１９に付着することを抑制することができる。
【００３７】
本発明の第２の態様のヘッドユニット１９は、前記第１の態様において、ノズル形成面２２は、保護部２１のプレート部２０とは反対側の保護面３９に対して凹んだ状態で位置することを特徴とする。
【００３８】
本態様によれば、ノズル形成面２２は、保護部２１のプレート部２０とは反対側の保護面３９に対して凹んだ状態で位置する。すなわち、ノズル形成面２２は保護面３９に対して凹んでいる。このため、ノズル形成面２２から被記録媒体Ｐまでの間に、突出方向Ｄと交差する交差方向に流れる気流が発生しても、ノズル形成面２２近傍においては該気流の影響を受けなくて済む。したがって、ノズル形成面２２から前記液体が吐出される瞬間において、該液体の吐出方向と交差する方向の力を受けることを抑制できる。すなわち、突出方向Ｄと交差する交差方向に流れる気流が発生しても、吐出方向に勢いがついてから該気流の影響を受けることとなるので、該気流の影響を小さくすることができる。このため、前記液体の吐出方向にずれが発生することを抑制でき、記録品質が低下することを抑制することができる。
【００３９】
本発明の第３の態様のヘッドユニット１９は、前記第１又は第２の態様において、プレート部２１は、少なくとも一部に間隔Ｓをあけて複数の記録ヘッド７を取り付けることを特徴とする。
【００４０】
ここで、「少なくとも一部に間隔Ｓをあけて複数の記録ヘッド７を取り付ける」とは、隣り合う記録ヘッド７が、一部接触している部分があっても、間隔Ｓがあいている部分が有れば足りる意味である。  
本態様によれば、プレート部２１は、少なくとも一部に間隔Ｓをあけて複数の記録ヘッド７を取り付ける。このため、浮遊するミストを、該間隔Ｓがあいている部分を介して逃がすことができる。このため、ミストがヘッドユニット１９に付着することを効果的に抑制することができる。
【００４１】
本発明の第４の態様の記録装置１は、前記第１から第３のいずれか１つの態様のヘッドユニット１９を備えることを特徴とする。
【００４２】
本態様によれば、ミストがヘッドユニット１９に付着することを抑制して記録することができる。
【００４３】
本発明の第５の態様の記録装置１は、前記第４の態様において、ヘッドユニット１９と被記録媒体Ｐとを相対的に移動させる移動部３０を備え、保護部２１は、少なくともヘッドユニット１９と被記録媒体Ｐとの相対移動方向Ｂにおける記録ヘッド７よりも上流側に設けられることを特徴とする。
【００４４】
本態様によれば、保護部２１は、少なくともヘッドユニット１９と被記録媒体Ｐとの相対移動方向Ｂにおける記録ヘッド７よりも上流側に設けられる。このため、保護部２１が整流板として、相対移動方向Ｂの上流側で、浮遊するミストを、空間Ｓを介して逃がす気流を生成することができる。したがって、ミストがヘッドユニット１９に付着することを効果的に抑制して記録することができる。
【００４５】
本発明の第６の態様の記録装置１は、前記第５の態様において、被記録媒体Ｐを間欠搬送させる搬送部３を備え、移動部３０は、前記間欠搬送の停止時にヘッドユニット１９を被記録媒体Ｐの搬送方向Ａと交差する方向に移動させることを特徴とする。
【００４６】
本態様によれば、被記録媒体を間欠搬送させる搬送部３を備え、移動部３０は間欠搬送の停止時にヘッドユニット１９を被記録媒体Ｐの搬送方向Ａと交差する方向に移動させる。すなわち、所謂シリアルタイプの記録装置である。このため、シリアルタイプの記録装置において、ミストがヘッドユニット１９に付着することを抑制して記録することができる。
【００４７】
本発明の第７の態様の記録装置１は、前記第５の態様において、移動部は、ヘッドユニットに対して被記録媒体Ｐを搬送する搬送部であり、記録ヘッドは、被記録媒体Ｐの搬送方向と交差する方向にノズルＮが並べられるラインヘッドであることを特徴とする。
【００４８】
本態様によれば、移動部はヘッドユニットに対して被記録媒体Ｐを搬送する搬送部であり、記録ヘッドは被記録媒体Ｐの搬送方向と交差する方向にノズルＮが並べられるラインヘッドである。このため、ラインヘッドに対して被記録媒体Ｐを搬送する構成の記録装置において、ミストがヘッドユニットに付着することを抑制して記録することができる。
【符号の説明】
【００４９】
１…記録装置、２…繰出部、３…搬送機構（搬送部）、４…記録機構、
５…繰出部２の回転軸、６…従動ローラー、７…記録ヘッド、８…搬送ローラー、
９…従動ローラー、１０…粘着性ベルト、１１…従動ローラー、１２…加圧ローラー、
１３…洗浄ブラシ、１４…トレイ、１５…洗浄機構、１６…カッター、１７…巻取軸、
１８…巻取機構、１９…キャリッジ（ヘッドユニット）、２０…プレート部、
２１…保護部、２２…ノズル形成面、２３…制御部、２４…ＣＰＵ、
２５…システムバス、２６…ＲＯＭ、２７…ＲＡＭ、２８…ヘッド駆動部、
２９…モーター駆動部、３０…キャリッジモーター（移動部）、３１…搬送モーター、
３２…繰出モーター、３３…巻取モーター、３４…孔部、３５…孔部、
３６…カッター駆動部、３７…入出力部、３８…ＰＣ、３９…保護面、４０…取付部、
Ｆ…支持面、Ｌ１…保護部２１の突出方向Ｄにおける厚み、Ｎ…ノズル、
Ｐ…被記録媒体、Ｒ１…被記録媒体Ｐのロール、Ｒ２…被記録媒体Ｐのロール、
Ｓ…空間
【図１】
2016137588.tif 000003
【図２】
2016137588.tif 000004
【図３】
2016137588.tif 000005
【図４】
2016137588.tif 000006
【図５】
2016137588.tif 000007
【図６】
2016137588.tif 000008